(57)【特許請求の範囲】
【請求項１】
スライドショー形式で複数の撮影画像を再生表示する画像再生装置であって、
スライドショーの再生対象となる複数の撮影画像を特定する特定手段と、
この特定手段によって特定された各撮影画像に付加されている撮影地点を示す撮影地点情報を撮影画像毎に取得する第１の取得手段と、
この第１の取得手段によって取得された撮影地点情報が示す複数の撮影地点のうちの中央の撮影地点を基準点とし、この基準点と他の撮影地点との間の距離が予め設定されている設定距離内である場合、前記第１の取得手段によって取得された撮影地点情報は共通する撮影地点情報であると判別する判別手段と、
この判別手段によって前記取得された撮影地点情報は共通する撮影地点情報であると判別された場合に、前記共通する撮影地点情報であると判別された撮影地点情報に対応付けられているバックグランド情報を取得する第２の取得手段と、
前記特定手段によって特定された複数の撮影画像をスライドショー形式で切り換え表示する際に、前記第２の取得手段によって取得されたバックグランド情報を合わせて出力する再生手段と、
を具備したことを特徴とする画像再生装置。
【請求項２】
前記バックグランド情報は、撮影場所を想起させる画像情報または音楽情報であり、
前記再生手段は、前記特定された複数の撮影画像をスライドショー形式で切り換え表示する際に、前記取得されたバックグランド情報が画像情報の場合には、バックグランド情報を撮影画像の背景画像として表示出力し、前記取得されたバックグランド情報が音楽情報の場合には、バックグランド情報をバックグランドミュージックとして再生出力する、
ことを特徴とする請求項１記載の画像再生装置。
【請求項３】
デジタルカメラあるいは記録メディアが接続されている状態において、前記特定手段は
、デジタルカメラあるいは記録メディア内の撮影画像群の中からスライドショーの再生対象となる複数の撮影画像を特定し、
前記特定手段によって特定された複数の撮影画像をデジタルカメラあるいは記録メディアから読み出してテレビジョン受像機に送信してスライドショー形式で切り換え表示すると共に、前記バックグランド情報取得手段によって取得されたバックグランド情報をテレビジョン受像機に送信して出力する、
ことを特徴とする請求項１記載の画像再生装置。
【請求項４】
コンピュータに、
スライドショーの再生対象となる複数の撮影画像を特定する特定機能と、
この特定機能によって特定された各撮影画像に付加されている撮影地点を示す撮影地点情報を撮影画像毎に取得する第１の取得機能と、
この第１の取得機能によって取得された撮影地点情報が示す複数の撮影地点のうちの中央の撮影地点を基準点とし、この基準点と他の撮影地点との間の距離が予め設定されている設定距離内である場合、前記第１の取得機能によって取得された撮影地点情報は共通する撮影地点情報であると判別する判別手段と、
この判別機能によって前記取得された撮影地点情報は共通する撮影地点情報であると判別された場合に、前記共通する撮影地点情報であると判別された撮影地点情報に対応付けられているバックグランド情報を取得する第２の取得機能と、
前記特定機能によって特定された複数の撮影画像をスライドショー形式で切り換え表示する際に、前記第２の取得機能によって取得されたバックグランド情報を合わせて出力する再生機能と、
を実現させるためのプログラム。
【発明の詳細な説明】
【技術分野】
【０００１】
この発明は、スライドショー形式で複数の撮影画像を再生表示する画像再生装置およびプログラムに関する。
【背景技術】
【０００２】
一般に、スライドショー形式で複数の画像を逐次切り換え表示する場合、たとえば、次ぎの画像の切り換え時に現在の画像を徐々に消していくワイプ効果を付与したり、徐々にモザイク効果を付与するようにしている。ところで、従来、スライドショー形式で複数の画像を逐次切り換え表示する技術としては、複数の画像をそのタイトル別にソートしてスライドショー形式で画像表示を行うようにした画像再生装置が知られている（特許文献１参照）。また、複数の画像を類似度に応じてソートしてスライドショー形式で画像表示を行うようにした画像データ逐次表示装置が知られている（特許文献２参照）。
他方、画像再生時において、撮影場所、被写体に関する情報を撮影画像と共に表示するようにした画像再生装置が知られている（特許文献３参照）。
【特許文献１】特開平１１−３４４７７１号公報
【特許文献２】特開２０００−０６７０５７号公報
【特許文献３】特開２００１−０９２８３５号公報
【発明の開示】
【発明が解決しようとする課題】
【０００３】
しかしながら、上述した特許文献１、２の技術にあっては、複数の画像を逐次切り換え表示する際に、表示順を決定するものであり、表示順に応じたスライドショー効果しか得ることができない。また、上述した特許文献３の技術にあっては、撮影場所、被写体に関する情報を受信取得して撮影画像と共に表示することにより、旅先での思い出、印象を蘇らせることが可能となるが、たとえば、スライドショー形式で複数の撮影画像を逐次切り換え表示させるような場合、撮影画像毎に撮影場所、被写体に関する情報を受信取得して表示させることは表示内容が煩雑化し、画像を見間違えるなどの問題を生じる。
【０００４】
この発明の課題は、スライドショーの再生対象となる複数の撮影画像を切り換え表示する際に、撮影場所あるいは撮影時期若しくは撮影場所と撮影時期が共通していることを条件に、場所あるいは時期若しくは場所と時期を想起可能なバックグランド情報を合わせて出力できるようにすることである。
【課題を解決するための手段】
【０００５】
本発明の第一の観点に係る画像再生装置は、
スライドショー形式で複数の撮影画像を再生表示する画像再生装置であって、
スライドショーの再生対象となる複数の撮影画像を特定する特定手段と、
この特定手段によって特定された各撮影画像に付加されている撮影地点を示す撮影地点情報を撮影画像毎に取得する第１の取得手段と、
この第１の取得手段によって取得された撮影地点情報が示す複数の撮影地点のうちの中央の撮影地点を基準点とし、この基準点と他の撮影地点との間の距離が予め設定されている設定距離内である場合、前記第１の取得手段によって取得された撮影地点情報は共通する撮影地点情報であると判別する判別手段と、
この判別手段によって前記取得された撮影地点情報は共通する撮影地点情報であると判別された場合に、前記共通する撮影地点情報であると判別された撮影地点情報に対応付けられているバックグランド情報を取得する第２の取得手段と、
前記特定手段によって特定された複数の撮影画像をスライドショー形式で切り換え表示する際に、前記第２の取得手段によって取得されたバックグランド情報を合わせて出力する再生手段と、
を具備した。
本発明の第二の観点に係るプログラムは、
コンピュータに、
スライドショーの再生対象となる複数の撮影画像を特定する特定機能と、
この特定機能によって特定された各撮影画像に付加されている撮影地点を示す撮影地点情報を撮影画像毎に取得する第１の取得機能と、
この第１の取得機能によって取得された撮影地点情報が示す複数の撮影地点のうちの中央の撮影地点を基準点とし、この基準点と他の撮影地点との間の距離が予め設定されている設定距離内である場合、前記第１の取得機能によって取得された撮影地点情報は共通する撮影地点情報であると判別する判別手段と、
この判別機能によって前記取得された撮影地点情報は共通する撮影地点情報であると判別された場合に、前記共通する撮影地点情報であると判別された撮影地点情報に対応付けられているバックグランド情報を取得する第２の取得機能と、
前記特定機能によって特定された複数の撮影画像をスライドショー形式で切り換え表示する際に、前記第２の取得機能によって取得されたバックグランド情報を合わせて出力する再生機能と、
を実現させる。
【発明の効果】
【００１２】
本発明によれば、撮影場所、時代での思い出、印象を蘇らせることが可能となり、効果的なスライドショーを実現することができる。
【発明を実施するための最良の形態】
【００１９】
以下、図１〜図５を参照して本発明の実施例を説明する。
図１は、この実施例における画像再生装置の全体構成の概要を示したブロック図である。
この画像再生装置は、再生制御部１を中核とするもので、この再生制御部１はオペレーティングシステム、各種アプリケーションソフトに応じてこの画像再生装置の全体動作を制御するＣＰＵ、オペレーティングシステム、各種アプリケーションソフトなどを記憶する記憶部、作業用のＲＡＭなどを有している。この記憶部内のプログラム領域には、後述する図２および図３に示す動作手順に応じて本実施例を実現するための再生制御用のプログラムが格納されている。この再生制御部１にはデジタルカメラ２あるいは記録メディア３がコネクタを介して接続可能であると共にテレビジョン受像機４に接続されており、再生制御部１は、デジタルカメラ２あるいは記録メディア３内の撮影画像を読み出してテレビジョン受像機４に送信してスライドショー形式で切り換え表示させるようにしている。また、再生制御部１には、カーソルキー、選択キー、再生開始キーなどを備えた操作部５が接続されていると共に、再生補助用のＤＶＤドライバ６を介してＤＶＤ７が接続されている。
【００２０】
デジタルカメラ２は、衛星系／地上系の測位システム(ＧＰＳ)からの電波を受信して自己の現在位置(カメラ位置)を取得可能な携帯型カメラであり、静止画撮影が可能なビデオカメラあるいは動画撮影が可能なスチルカメラである。そして、このデジタルカメラ２には、シャッター操作に応じて撮影された撮影画像を内部メモリあるいは記録メディア３に記録保存する際に、ＧＰＳ受信測位部２１から現在位置を取得するほか、時計部(図示せず)から現在時刻を取得し、この現在位置を撮影地点を示す情報(撮影場所)、現在日時を撮影時点を示す情報(撮影日時)として当該撮影画像に付加して記録保存するようにしている。すなわち、各撮影画像には、その「撮影場所」、「撮影年月」がファイル名と共に撮影関連情報として付加されている。
【００２１】
再生制御部１は、デジタルカメラ２あるいは記録メディア３が接続されている状態において、スライドショーの再生対象となる複数の撮影画像を再生対象画像群として特定してデジタルカメラ２あるいは記録メディア３から再生対象画像を読み出し、テレビジョン受像機４に送信してスライドショー形式で切り換え表示させる。この場合、再生制御部１は、各撮影画像に付加されている撮影関連情報(撮影場所、撮影年月)を読み出すと共に、取得した全ての撮影関連情報のうち、共通する撮影関連情報がどの程度含まれているかに基づいて再生対象画像群は共通性がある画像群かを判別し、共通性がある再生対象画像群であれば、共通する撮影関連情報に基づいてＤＶＤ７を検索すると共に、このＤＶＤ７から読み出した画像情報(背景動画データ)、音楽データをテレビジョン受像機４に送信する。この場合、背景動画データは撮影画像の背景画像として表示出力され、音楽データは、バックグランドミュージックとして再生出力される。
【００２２】
ＤＶＤ７は、日本全国の観光地、観光施設、名所などに対応してその場所を想起可能な背景動画データ、音楽データが格納されていると共に、各時代、時期に対応してそのときのニュース映像、流行曲、流行映画などを想起可能な背景動画データ、音楽データが格納されているもので、その内容はパーソナルコンピュータ(図示せず)などを利用することによってインターネットを介して定期的あるいは必要に応じて更新可能となっている。そして、このＤＶＤ７から読み出された背景動画データ、音楽データは、上述したように再生対象の撮影画像と共に出力されるバックグランド情報であり、再生制御部１は、共通する撮影関連情報に基づいてＤＶＤ７を検索することによって該当するバックグランド情報を読み出すが、その際、本実施例では、複数のバックグランド情報が該当する場合でも１種類のバックグランド情報(背景動画データおよび音楽データ)を読み出すようにしている。なお、通常は１つのバックグランド情報には、背景動画データおよび音楽データが含まれているが、背景動画データのみの場合あるいは音楽データのみの場合も含まれている。
【００２３】
次ぎに、この実施例における画像再生装置の動作概念を図２および図３に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００２４】
図２および図３は、電源投入に応じて実行開始される再生制御部１の動作を示したフローチャートである。
先ず、再生制御部１は、その内部に設けられているお気に入りフォルダ(図示せず)をアクセスし、このお気に入りフォルダ内にデジタルカメラ２、記録メディア３から取得した撮影画像が再生対象として格納されているかを調べ(ステップＳ１)、撮影画像が格納されていれば、メニュー情報をテレビジョン(ＴＶ)受像機４に送信してＴＶ画面に表示出力させる(ステップＳ２)。このメニュー情報は、画像再生の開始を指示することを示すメニュー項目「再生」と、デジタルカメラ２、記録メディア３から取得した撮影画像をお気に入りフォルダ内に新規格納することを示すメニュー項目「新規」を有している。ここで、ＴＶ画面上において、「再生」の項目が選択指定された場合には、図３のステップＳ２０に移るが、「新規」の項目が選択指定された場合には、ステップＳ４に移り、デジタルカメラ２あるいは記録メディア３を接続すべき旨のメッセージをＴＶ画面に表示させた後に、デジタルカメラ２あるいは記録メディア３がコネクタ接続されるまで待機する。
【００２５】
ここで、デジタルカメラ２あるいは記録メディア３が接続されると、再生制御部１は、デジタルカメラ２あるいは記録メディア３から全ての撮影画像を読み出し取得した後(ステップＳ５)、その先頭から１枚の撮影画像を抽出すると共に、この撮影画像をＴＶ受像機４に送信して表示出力させる(ステップＳ６)。この状態において、操作部５のカーソルキーが操作されることによって当該画像が再生対象として選択された場合には(ステップＳ７)、この選択画像をお気に入りフォルダ内に新規格納する(ステップＳ８)。以下、再生対象の選択作業を終了させる終了操作が行われるまで(ステップＳ９)、ステップＳ６に戻り、次ぎの１枚分の撮影画像を抽出してＴＶ画面に表示させながら再生対象の選択操作を行う(ステップＳ６〜Ｓ９)。なお、この場合、再生対象外とするキャンセル操作が行われた場合には、お気に入りフォルダへの格納をキャンセルし、次ぎの画像を抽出して表示させる。このようにして所望する画像をお気に入りフォルダに新規格納する処理が終了した場合には(ステップＳ９でＹＥＳ)、このお気に入りフォルダ内の各撮影画像に付加されている撮影関連情報の中から「撮影場所」を読み出し(ステップＳ１０)、共通する場所が半分以上有るかを調べる(ステップＳ１１)。
【００２６】
すなわち、お気に入りフォルダに格納されている全ての画像の数と撮影関連情報(撮影場所)が共通する画像の数との割合が予め設定されている所定値(５０％)以上であるか否かを調べる。この場合、お気に入りフォルダ内の各画像に対応する撮影場所のうち、その中央の撮影場所を基準点とし、この基準点と他の撮影場所との間が予め設定されている設定距離(たとえば、１００ｍ)以内であれば、それらは共通する場所であると認識するようにしている。いま、共通する場所が半分以上有れば(ステップＳ１１でＹＥＳ)、この場所を共通場所として特定すると共に(ステップＳ１２)、共通場所として特定された撮影画像の撮影関連情報から撮影年月を読み出し(ステップＳ１３)、この共通する年月が半分以上有るかを調べる(ステップＳ１４)。
【００２７】
この場合においても、お気に入りフォルダに格納されている全ての画像の数と撮影関連情報(撮影年月)が共通する画像の数との割合が予め設定されている所定値(５０％)以上であるか否かを調べるが、この際、お気に入りフォルダ内の各画像に対応する撮影年月のうち、その中央の撮影年月を基準点とし、この基準点と他の撮影年月との間が予め設定されている設定期間(たとえば、１ヶ月)以内であれば、それらは共通する年月であると認識する。いま、共通する場所が半分以上有り(ステップＳ１１でＹＥＳ)、しかも、共通する年月が半分以上有れば(ステップＳ１４でＹＥＳ)、この共通場所および共通年月に基づいてＤＶＤ７をアクセスし、この場所および年月に対応する背景動画データ、音楽データを読み出す(ステップＳ１５)。
【００２８】
また、共通する場所は半分以上有るが、共通する年月が半分未満の場合には(ステップＳ１４でＮＯ)、この共通場所に基づいてＤＶＤ７をアクセスし、この場所に対応する背景動画データ、音楽データを読み出す(ステップＳ１８)。さらに、共通する場所が半分未満の場合には(ステップＳ１１でＮＯ)、上述と同様に、共通する年月が半分以上有るかを調べ(ステップＳ１６)、共通する年月が半分以上有れば、共通年月に基づいてＤＶＤ７をアクセスし、この年月に対応する背景動画データ、音楽データを読み出す(ステップＳ１７)。なお、共通する場所および共通する年月が共に半分未満の場合には(ステップＳ１６でＮＯ)、背景動画データ、音楽データの読み出は行われない。
【００２９】
このようにしてＤＶＤ７から背景動画データ、音楽データを読み出す処理が終了すると、図３のステップＳ２０に移り、操作部５に設けられている再生開始キーの操作待ち状態となる。この状態において、再生開始キーが操作されると、ＤＶＤ７から読み出した背景動画データ、音楽データが有るかを調べる(ステップＳ２１)。いま、背景動画データ、音楽データがＤＶＤ７から読み出された場合には、この音楽データをＴＶ受像機４に送信してそのスピーカから再生出力させると共に(ステップＳ２２)、この背景動画データをＴＶ受像機４に送信してそのＴＶ画面に表示出力させる(ステップＳ２３)。この状態において、お気に入りフォルダをアクセスしてその先頭から１枚分の画像を読み出し(ステップＳ２４)、ＴＶ受像機４に送信してそのＴＶ画面上の背景動画に重ね合わせて表示される(ステップＳ２５)。図４は、お気に入り画像を背景動画上に重ね合わせて表示した場合のＴＶ画面を示している。
【００３０】
この場合、背景動画上にお気に入り画像は、予め設定されている一定時間(たとえば、５秒間)固定表示された後、次ぎの画像の切り換え時に現在表示されているお気に入り画像を徐々に消しながら(移動しながら)次ぎの画像を出現させるスライドショー効果を付与するようにしている。図５(Ａ)〜(Ｃ)は、次ぎの画像の切り換え時に現在表示されているお気に入り画像を下から上に移動させながら次ぎの画像を出現させるスライドショー効果を付与した場合の表示例を示している。なお、次ぎの画像の切り換え時に現在表示されているお気に入り画像にモザイクを徐々に付与したり、画像全体を波のように動かすようにしてもよい。このようにお気に入りフォルダ内の画像を順次読み出しながらＴＶ画面の背景動画上に切り換え表示させる動作がお気に入りフォルダ内の全ての画像に対して繰り返し実行される(ステップＳ２４〜Ｓ２６)。ここで、お気に入りフォルダ内の全画像を読み出した際には(ステップＳ２６でＹＥＳ)、ユーザ操作によって再生終了が指示されたかを調べ(ステップＳ２７)、再生終了が指示されるまでステップＳ２２に戻って上述の動作が繰り返される。なお、ユーザ操作によって再生終了が指示された場合には、図２のメニュー表示処理に戻る(ステップＳ２)。
【００３１】
一方、共通場所および共通年月が半分以上存在しない場合(図２のステップＳ１６でＮＯ)には、ＤＶＤ７から背景動画データ、音楽データは読み出されないので、ステップＳ２１でそのことが検出されてステップＳ２８以降に移り、お気に入りフォルダ内の画像をその先頭から順次読み出しながらＴＶ画面に切り換え表示させる動作がユーザ操作によって再生終了が指示されるまで繰り返される(ステップＳ２８〜Ｓ３１)。この場合においても、次ぎの画像の切り換え時に現在表示されているお気に入り画像を下から上に移動させながら次ぎの画像を出現させるスライドショー効果を付与するようにしている。なお、ユーザ操作によって再生終了が指示された場合には、図２のメニュー表示処理に戻る(ステップＳ２)。
【００３２】
以上のように、この実施例において再生制御部１は、スライドショーの再生対象として指定された複数の撮影画像がお気に入りフォルダ内に格納されている状態において、お気に入りフォルダ内の各画像をＴＶ受像機４に送信して再生表示させる際に、この各画像に付加されている撮影場所、撮影年月を参照することによって撮影場所が半分以上共通しているか、撮影年月が半分以上共通しているか、撮影場所および撮影年月が半分以上共通しているかを調べ、その何れかが半分以上共通していることを条件に、それに対応する背景画像データ、音楽データをＤＶＤ７から読み出してＴＶ受像機４から再生出力させるようにしたから、その場所、時代での思い出、印象を蘇らせることが可能となり、効果的なスライドショーを実現することができる。この場合、再生対象として指定された画像群の中に異なる場所で撮影した画像、異なる年月に撮影した画像が含まれていても、画像群全体として撮影場所、撮影年月に共通性があれば、同一内容の背景画像データ、音楽データをそのまま継続して出力すればよい。したがって、画像を切り換える毎にバックグランド情報を切り換える必要がなくなり、誤認、錯誤などを効果的に防止することもできる。
【００３３】
なお、上述した実施例においては、デジタルカメラ２あるいは記録メディア３から全ての撮影画像を読み出し取得した後、その中から再生対象として任意に選択指定された画像をお気に入りフォルダ内に格納することによって、再生対象となる複数の画像を再生対象として特定するようにしたが、デジタルカメラ２あるいは記録メディア３内から複数の再生対象を自動的に特定するようにしてもよい。たとえば、過去に再生対象として選択されていない未再生画像を自動選択したり、毎年、誕生日に撮影した画像のみを自動選択するようにしてもよい。
【００３４】
また、撮影場所が半分以上共通している場合、撮影年月が半分以上共通している場合、撮影場所および撮影年月が半分以上共通していることを条件に、対応する背景画像データ、音楽データを読み出して出力する場合、出力する背景画像データ、音楽データは、１種類に限らず、２種類以上を切り換えながら出力してもよい。
また、上述した実施例においては、お気に入りフォルダ内の各画像をＴＶ受像機４に送信して再生表示するようにしたが、パーソナルコンピュータ、携帯電話などを再生媒体としてもよく、また、背景画像データ、音楽データをＤＶＤ７から読み出し取得するようにしたが、インターネットなどを介して背景画像データ、音楽データを取得するようにしてもよい。また、この画像再生装置は、カメラ装置の再生機能に適用してもよい。
【００３５】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、スライドショーの再生対象となる複数の撮影画像を再生対象画像群として特定する機能と、特定された各撮影画像に付加されている撮影地点、撮影時点に関する情報のうち、少なくともその何れかを撮影関連情報として撮影画像毎に取得する機能と、取得した全ての撮影関連情報のうち、共通する撮影関連情報がどの程度含まれているかに基づいて前記再生対象画像群は共通性がある画像群かを判別する機能と、共通性がある画像群であることが判別された場合に、前記共通する撮影関連情報に対応付けられているバックグランド情報を取得する機能と、前記再生対象として特定された複数の撮影画像をスライドショー形式で切り換え表示する際に、前記取得したバックグランド情報を合わせて出力する機能とを実現させるためのプログラムを記録したコンピュータが読み取り可能な記録媒体を提供するようにしてもよい。
【図面の簡単な説明】
【００３６】
【図１】画像再生装置の全体構成の概要を示したブロック図。
【図２】電源投入に応じて実行開始される再生制御部１の動作を示したフローチャート。
【図３】図２に続く、再生制御部１の動作を示したフローチャート。
【図４】お気に入り画像を背景動画上に重ね合わせて表示した場合のＴＶ画面を示した図。
【図５】(Ａ)〜(Ｃ)は、次ぎの画像の切り換え時に現在表示されているお気に入り画像を下から上に移動させながら次ぎの画像を出現させるスライドショー効果を付与した場合のＴＶ画面の表示例を示した図。
【符号の説明】
【００３７】
１  再生制御部
２  デジタルカメラ
３  記録メディア
４  テレビジョン受像機
５  操作部
７  ＤＶＤ
２１  ＧＰＳ受信測位部
【図１】
0004613553.tif 000002
【図２】
0004613553.tif 000003
【図３】
0004613553.tif 000004
【図４】
0004613553.tif 000005
【図５】
0004613553.tif 000006